【手続補正書】
【提出日】平成17年3月7日(2005.3.7)
【手続補正１】
【補正対象書類名】明細書
【補正対象項目名】特許請求の範囲
【補正方法】変更
【補正の内容】
【特許請求の範囲】
【請求項１】
識別情報を備えた複数の表示装置に画像信号を送出する画像信号発生装置において、
前記複数の表示装置の一つに表示される画像を１ページの画像としたときに、１ページの画像を表示させる画像信号を１フレームずつ順に出力する画像信号発生部と、
インデックス信号を前記各フレームの画像信号に付加するインデックス付加部と、
前記各フレームの画像信号を前記複数の表示装置に送出して、前記各フレームの画像信号に付加されたインデックス信号に対応する識別情報を備えた表示装置に画像を表示させる画像信号出力部と、
アプリケーションソフトウエアに基づいて前記複数の表示装置にウィンドウを表示させ、前記ウィンドウの表示位置情報を保持し、前記ウィンドウを用いた情報の入出力を制御するウィンドウ制御部と
を有し、
前記ウィンドウ制御部が、前記各フレームの画像信号に付加されたインデックス信号が切り替わるときに、前記ウィンドウの表示位置情報を前記インデックス信号に基づいて変更する
ことを特徴とする画像信号発生装置。
【請求項２】
前記ウィンドウの表示位置情報が、前記複数の表示装置の表示領域を前記識別情報に従って並べることによって形成される領域を座標平面とする座標系を用いて表示される座標であることを特徴とする請求項１に記載の画像信号発生装置。
【請求項３】
前記インデックス信号に対応する識別情報を備えた表示装置の表示領域の特定の位置を前記座標系の原点とすることを特徴とする請求項２に記載の画像信号発生装置。
【請求項４】
前記インデックス信号が変更されたときに、前記ウィンドウの座標を、前記変更後のインデックス信号に対応する識別情報を備えた表示装置の表示領域の特定の位置を原点とする変更後の座標系の座標に変換することを特徴とする請求項３に記載の画像信号発生装置。
【請求項５】
前記ウィンドウ制御部が、インデックス信号が変更されたときに、前記変更後のインデックス信号に対応する識別情報を備えた表示装置の表示領域以外の位置のウィンドウのサイズを０に縮小することを特徴とする請求項１から４までのいずれかに記載の画像信号発生装置。
【請求項６】
前記インデックス信号の変更が、前記表示装置に表示されるポインタが、前記複数の表示装置の各表示領域の境界を超えて移動しようとするときに実行されることを特徴とする請求項１から５までのいずれかに記載の画像信号発生装置。
【請求項７】
前記インデックス信号の変更されたときに、前記表示装置に表示されるポインタの座標を変更することを特徴とする請求項６に記載の画像信号発生装置。
【請求項８】
前記インデックス信号の付加が、画像信号の一部をインデックス信号に置き換えることによって実行されることを特徴とする請求項１から７までのいずれかに記載の画像信号発生装置。
【請求項９】
識別情報を備えた複数の表示装置により受信される画像信号を発生する画像信号発生方法であって、
前記複数の表示装置の一つに表示される画像を１ページとしたときに、１ページの画像信号を１フレームずつ順に生成し、
インデックス信号を前記各フレームの画像信号に付加し、
前記各フレームの画像信号を前記複数の表示装置に送出して、前記各フレームの画像信号に付加されたインデックス信号に対応する識別情報を備えた表示装置に画像を表示させ、
アプリケーションソフトウエアに基づいて前記複数の表示装置にウィンドウを表示させ、前記ウィンドウの表示位置情報を保持し、前記ウィンドウを用いた情報の入出力を制御するウィンドウ制御部が、前記各フレームの画像信号に付加されたインデックス信号が切り替わるときに、前記ウィンドウの表示位置情報を前記インデックス信号に基づいて変更する
ことを特徴とする画像信号発生方法。
【請求項１０】
前記ウィンドウの表示位置情報が、前記複数の表示装置の表示領域を前記識別情報に従って並べることによって形成される領域を座標平面とする座標系を用いて表示される座標であることを特徴とする請求項９に記載の画像信号発生方法。
【請求項１１】
前記インデックス信号に対応する識別情報を備えた表示装置の表示領域の特定の位置を前記座標系の原点とすることを特徴とする請求項１０に記載の画像信号発生方法。
【請求項１２】
前記インデックス信号が変更されたときに、前記ウィンドウの座標を、前記変更後のインデックス信号に対応する識別情報を備えた表示装置の表示領域の特定の位置を原点とする変更後の座標系の座標に変換することを特徴とする請求項１１に記載の画像信号発生方法。
【請求項１３】
前記インデックス信号が変更されたときに、前記変更後のインデックス信号に対応する識別情報を備えた表示装置の表示領域以外の位置のウィンドウのサイズを０に縮小することを特徴とする請求項９から１２までのいずれかに記載の画像信号発生方法。
【請求項１４】
前記インデックス信号の変更が、前記表示装置に表示されるポインタが、前記複数の表示装置の各表示領域の境界を超えて移動しようとするときに実行されることを特徴とする請求項９から１３までのいずれかに記載の画像信号発生方法。
【請求項１５】
前記インデックス信号が変更されたときに、前記表示装置に表示されるポインタの座標を変更することを特徴とする請求項１４に記載の画像信号発生方法。
【請求項１６】
前記インデックス信号の付加が、画像信号の一部をインデックス信号に置き換えることによって実行されることを特徴とする請求項９から１４までのいずれかに記載の画像信号発生方法。
【請求項１７】
１台の表示装置に表示される画像を１ページとしたときに、１ページの画像信号を１フレームずつ順に出力する画像信号発生部を有し、識別情報を備えた複数の表示装置に画像信号を送出するコンピュータシステムに画像信号処理を実行させるためのプログラムを記録したコンピュータ読み取り可能な記録媒体であって、
前記画像信号処理が、
前記画像信号発生部から出力される各フレームの画像信号にインデックス信号を付加する処理と、
前記各フレームの画像信号を前記複数の表示装置に送出して、前記各フレームの画像信号に付加されたインデックス信号に対応する識別情報を備えた表示装置に画像を表示させる処理と、
アプリケーションソフトウエアに基づいて前記複数の表示装置にウィンドウを表示させ、前記ウィンドウの表示位置情報を保持し、前記ウィンドウを用いた情報の入出力を制御するウィンドウ制御部が、前記各フレームの画像信号に付加されたインデックス信号が切り替わるときに、前記ウィンドウの表示位置情報を前記インデックス信号に基づいて変更する処理と
を含むことを特徴とする記録媒体。
【請求項１８】
１台の表示装置に表示される画像を１ページとしたときに、１ページの画像信号を１フレームずつ順に出力する画像信号発生部を有し、識別情報を備えた複数の表示装置に画像信号を送出するコンピュータシステムに画像信号処理を実行させるためのプログラムであって、
前記画像信号処理が、
前記画像信号発生部から出力される各フレームの画像信号にインデックス信号を付加する処理と、
前記各フレームの画像信号を前記複数の表示装置に送出して、前記各フレームの画像信号に付加されたインデックス信号に対応する識別情報を備えた表示装置に画像を表示させる処理と、
アプリケーションソフトウエアに基づいて前記複数の表示装置にウィンドウを表示させ、前記ウィンドウの表示位置情報を保持し、前記ウィンドウを用いた情報の入出力を制御するウィンドウ制御部が、前記各フレームの画像信号に付加されたインデックス信号が切り替わるときに、前記ウィンドウの表示位置情報を前記インデックス信号に基づいて変更する処理と
を含むことを特徴とするプログラム。
【請求項１９】
識別情報を備えた複数の表示装置に送出される画像信号を生成する画像信号発生方法であって、
前記複数の表示装置の一つに表示される画像を１ページとしたときに、各々のページの画像信号内に、前記表示装置が備える前記識別情報に対応するインデックス信号を付加することによって、前記複数の表示装置において選択的な画像の表示を可能とするステップを有し、
前記各々のページの画像信号内に付加されるインデックス信号が切り替わるときに、アプリケーションソフトウェアに基づいて発生したウィンドウズの表示位置情報を前記インデックス信号に基づいて変更する
ことを特徴とする画像信号発生方法。
【手続補正２】
【補正対象書類名】明細書
【補正対象項目名】００３３
【補正方法】変更
【補正の内容】
【００３３】
図４は、実施の形態１に係る画像信号発生装置１に接続される表示装置１１，１２，１３の構成を概略的に示すブロック図である。図４に示されるように、各表示装置１１，１２，１３は、入力端子２１と、画像信号受信部２２と、受信したインデックス信号を予め設定された閾値に基づいて２値化するインデックス判別部２３と、表示装置１１，１２，１３の識別番号を設定する識別番号設定部２４と、各フレームの画像信号に付加されたインデックス信号が表示装置に設定された識別番号に対応するものか否かの判定をするインデックス判定部２５とを有する。また、各表示装置１１，１２，１３は、インデックス判定部２５の判定結果に基づいて画像記憶部２７に送出するフレームであるか否かを選択するフレーム選択部２６と、画像記憶部２７と、表示部２８とを有する。また、図４において、Ｄｉは画像信号受信部２２から出力される画像信号であり、Ｓｉは画像信号受信部２２から出力される同期信号である。このような構成により、各表示装置１１，１２，１３は、各フレームの画像信号に付加されたインデックス信号が、設定された識別番号に対応するものである場合に、そのフレームの画像信号を画像記憶部２７に記憶し、表示部２８に表示させる。
【手続補正３】
【補正対象書類名】明細書
【補正対象項目名】００３６
【補正方法】変更
【補正の内容】
【００３６】
また、図６において、破線で示す領域６１は複数ページの画像信号の発生動作を説明するために用いる仮想的な座標空間である。画像信号発生部２から第２ページの画像信号（即ち、領域６０）を出力する場合、ウィンドウ制御部５は、第１ページに表示していたウィンドウ４１の位置情報を保持する。保持する位置情報は、座標（ｘ１，ｙ１）を、ｗだけ左側に移動（即ち、座標変換）した座標（ｘ１−ｗ，ｙ１）である。次に、画像信号発生部２は、第２ページに表示するウィンドウ４２を座標（ｘ２，ｙ２）に発生する。また、インデックス付加部３は、インデックスの表示装置選択情報を第１ページから第２ページに変更する。ウィンドウ４１は、ウィンドウ制御部５によって座標（ｘ１−ｗ，ｙ１）に移動されることで、第２ページの座標空間（即ち、領域６０）の外に移動するので、画像信号発生装置１から画像信号として出力されなくなる。第２ページの画像信号は、第２の表示装置１２が選択的に表示し、第１の表示装置１１は、その画像記憶部（図４の符号２７）に保持された画像信号を第１ページの画像として第１の表示装置１１に表示し続ける。
【手続補正４】
【補正対象書類名】明細書
【補正対象項目名】００３９
【補正方法】変更
【補正の内容】
【００３９】
図８は、第３ページから第１ページの画像信号に切り替えた場合の説明図である。図８において、破線で示す領域６３及び６４は複数ページの発生の動作を説明するために用いる仮想的な座標空間である。第３ページから第１ページの画像信号に切り替える場合、ウィンドウ制御部５は、第２ページに表示していたウィンドウ４２の位置情報及び第３ページに表示していたウィンドウ４３の位置情報を保持する。ウィンドウ制御部５は、ウィンドウ４１の座標を（ｘ１，ｙ１）に移動（即ち、座標変換）し、ウィンドウ４２の座標を（ｘ２＋ｗ，ｙ２）に移動し、ウィンドウ４３の座標を（ｘ３＋２ｗ，ｙ３）に移動する。また、インデックス付加部３は、インデックスの表示装置選択情報を第３ページから第１ページに変更する。ここで、ウィンドウ制御部５によって、ウィンドウ４１は座標（ｘ１，ｙ１）に移動され、ウィンドウ４２は座標（ｘ２＋ｗ，ｙ２）に移動され、ウィンドウ４３は座標（ｘ３＋２ｗ，ｙ３）に移動されることで、ウィンドウ４１のみが第１ページの座標空間（即ち、領域６０）の中に移動するので、ウィンドウ４１を含む画像信号のみが画像信号として出力される。
【手続補正５】
【補正対象書類名】明細書
【補正対象項目名】００４０
【補正方法】変更
【補正の内容】
【００４０】
図９は、第１ページから第２ページの画像信号に切り替えた場合の説明図である。図９において、破線で示す領域６１及び６３は複数ページの発生の動作を説明するために用いる仮想的な座標空間である。第１ページから第２ページの画像信号に切り替える場合、ウィンドウ制御部５は、第１ページに表示していたウィンドウ４１の位置情報及び第３ページに表示していたウィンドウ４３の位置情報を保持する。ウィンドウ制御部５は、ウィンドウ４１の座標を（ｘ１−ｗ，ｙ１）に移動し、ウィンドウ４２の座標を（ｘ２，ｙ２）に移動し、ウィンドウ４３の座標を（ｘ３＋ｗ，ｙ３）に移動する。また、インデックス付加部３は、インデックスの表示装置選択情報をページ１からページ２に変更する。ここで、ウィンドウ制御部５によって、ウィンドウ４１は座標（ｘ１−ｗ，ｙ１）に移動され、ウィンドウ４２は座標（ｘ２，ｙ２）に移動され、ウィンドウ４３は座標（ｘ３＋ｗ，ｙ３）に移動されることで、ウィンドウ４２のみが第２ページの座標空間（即ち、領域６０）の中に移動するので、ウィンドウ４２を含む画像信号のみが画像信号として出力される。
【手続補正６】
【補正対象書類名】明細書
【補正対象項目名】００５８
【補正方法】変更
【補正の内容】
【００５８】
ステップＳＴ２８においては、インデックスの表示装置選択情報を、例えば、ページ番号を減らすように変更する（例えば、図９から図８に変更する場合に相当する）。次のステップＳＴ２９において、ポインタ５１の座標を（Ｘｔ，Ｙｔ）から（ｗ＋２Ｘｔ−Ｘｔ−１，Ｙｔ）に変更して、ポインタ５１の表示位置を画面左側から画面右側に変更する（例えば、図９の画面６０の左端から図８の画面６０の右端に変更する）。次のステップＳＴ３０において、上述したように各ウィンドウの座標を制御することで、各ページに表示されるウィンドウの切替えを行う。